(57)【要約】【課題】分電盤内部のガタースペースを共有する配置構造とすることより盤を小型化し、省スペース化および作業の効率化を図るとともに、安全性を重視した分電盤を提供すること。【解決手段】分電盤内の主幹ブレーカ５を分電盤内の中央下部に配置し、３段配置母線バー３を分電盤の両端に分けて配置することで、中央部に配線用ガタースペース４を設け、両端に振り分けた３段配置母線バー３の片側に接続されるプラグイン型分岐ブレーカ２の２次側接続部を内側すなわち中央部の配線用ガタースペース４側とすることによって、主幹ブレーカ５の配線用ガタースペース４と分岐ブレーカ２の配線用ガタースペース４を共有させる。更に、複数相の平角導体からなる母線バー１１が間隔を介して上下に段配置とすることで分電盤を小型化することにより省スペース化および作業の効率化を図る。また、この分電盤に適した中ぶた２０とすることにより、安全性を重視している。【選択図】　　　　図１
2004056929.tif 000002
【特許請求の範囲】
【請求項１】
分電盤内の主幹ブレーカを１次側を上、２次側を下とした状態もしくは１次側を下、２次側を上とした状態で分電盤内の中央下部に配置し、母線バーを主幹ブレーカの２次側で分岐させる形で分電盤の両端に振り分け、盤の側面内側に近い箇所で、盤の長手方向に向かって平行に配置する構造とすることにより、中央部に配線用のガタースペースができ、両端に振り分けた母線バーの片側に接続される分岐ブレーカの２次側接続部が、内側すなわち中央部の配線用ガタースペース側となるよう取付板を配置して分岐ブレーカを接続する形態とすることで、主幹ブレーカの配線用ガタースペースと分岐ブレーカの配線用ガタースペースを共有させ、両端に振り分けた母線バーの構造は、複数相の平角導体からなる母線バーを、間隔を介して上下に段配置した形となっていることを特徴とする分電盤。
【請求項２】
母線バーを主幹ブレーカの２次側接続部より下部に向かって、順次相ごとで母線バーに段差を設け、下部でねじ接続により左右に分岐させる形で、分電盤の両端に振り分け、更に分電盤の下部左右において、相ごとにねじ接続で盤の長手方向に向かって平行に配置する母線バーと接続する構造としていることを特徴とする請求項１記載の分電盤。
【請求項３】
母線ケーブルを主幹ブレーカの２次側接続部より、２重接続によるケーブル接続により左右に分岐させ、分電盤の左右に設ける盤の長手方向に向かって平行に配置する母線バーと相ごとに接続する構造としていることを特徴とする請求項１記載の分電盤。
【請求項４】
中央部に配線用のガタースペースを有する分電盤に用いられ、ブレーカＯＮ・ＯＦＦ切換部のみ露出した中ぶたで分電盤内部を覆い、中央部の配線用ガタースペース部のみ容易に開閉可能とした保護板を設ける構造とした安全性を重視した請求項１記載の分電盤。
【発明の詳細な説明】
【０００１】
【発明が属する技術分野】
本発明は、分電盤内の主幹ブレーカから分岐ブレーカへの接続部分となる母線バーの配置及び構造に関する。
【０００２】
【従来の技術】
この種の分電盤として特開平９−１８２２１９号や特開平１１−８９０１８号に見られる様な構成のものがある。図７は、同形態の分電盤を示す。この従来例では、分電盤内の内部構造として、盤内上部に主幹ブレーカを配置し、そしてその主幹ブレーカ２次側より下部に母線バーを盤の長手方向に配置し、母線バー左右に母線バーをはさむ形で分岐ブレーカを配置した構造となっており、分岐配線を盤内の左右外側から接続することができる。
【０００３】
【発明が解決しようとする課題】
上記のような従来例では、盤内左右外側から分岐配線を接続することができるものの、図７に示すように中央に母線バー２２を配置している為、主幹ブレーカ２３及び分岐ブレーカ２４に必要な配線用ガタースペース２５が大部分を占め、必然的に製作する盤は大きいものとなり、施工上の観点から設置する場所が限定されるという省スペース性の面で問題点があるとともに、作業性の面からも、従来の分電盤では、分岐ブレーカの配線用ガタースペース２５が図７に示すように盤の側面内側すなわち盤内の外側に設けられているため、配線・接続する際に狭くて作業しにくいという問題点があった。更に、充電部である母線バー２２が中央に位置しており、中ぶたを取り外した際、露出することになるため安全性の面で問題があった。
【０００４】
本発明では、主幹ブレーカに必要な配線用ガタースペース及び分岐ブレーカに必要な配線用ガタースペースを盤の中央部で共有し、スペースを削減する事により、分電盤を小型化することができ、従来程の設置に要するスペースを必要としない為、設置できる箇所が従来より広範囲になるとともに、省スペース化・作業の効率化が図れる。また、ブレーカＯＮ・ＯＦＦ切換部のみ露出した中ぶたで分電盤内部を覆い、中央部の配線用ガタースペース部のみ容易に開閉可能とした保護板を設ける構造とする事により、充電部である母線バーを露出せず安全かつ容易に配線替え等ができる。以上の観点から分電盤を従来より小型化し、作業の効率化及び安全性の向上を図ることを目的としている。
【０００５】
【課題を解決するための手段】
請求項１の発明では、分電盤内の主幹ブレーカを１次側を上、２次側を下にした状態もしくは１次側を下、２次側を上とした状態で盤内中央下部に配置し、母線バーを主幹ブレーカの２次側で分岐させる形で分電盤の両端に振り分け、盤の側面内側に近い箇所で盤の長手方向に向かって平行に配置することで、中央部に配線用ガタースペースを設け、両端に振り分けた母線バーの片側に接続される分岐ブレーカの２次側接続部を内側すなわち中央部の配線用ガタースペース側となるよう取付板を配置して分岐ブレーカを接続する形態とすることで、主幹ブレーカと分岐ブレーカの配線用ガタースペースを中央部で共有させ、更に両端に振り分けた母線バーの構造は、複数相の平角導体からなる母線バーを間隔を介して上下に段配置した形とする。
【０００６】
請求項２の発明では、請求項１の発明において、母線バーを主幹ブレーカの２次側接続部より下部に向かって、順次相ごとで母線バーに段差を設け、下部でねじ接続により左右に分岐させる形で、分電盤の両端に振り分け、更に分電盤の下部左右において、相ごとにねじ接続で盤の長手方向に向かって平行に配置する母線バーと接続する構造とした形とする。
【０００７】
請求項３の発明では、請求項１の発明において、母線ケーブルを主幹ブレーカの２次側接続部より、２重接続によるケーブル接続により左右に分岐させ、分電盤の左右に設ける盤の長手方向に向かって平行に配置する母線バーと相ごとに接続する構造とした形とする。
【０００８】
請求項４の発明では、請求項１の発明におけるような中央部に配線用のガタースペースを有する分電盤に用いられ、ブレーカＯＮ・ＯＦＦ切換部のみ露出した中ぶたで分電盤内部を覆い、中央部の配線用ガタースペース部のみ容易に開閉可能とした保護板を設ける構造とした形とする。
【０００９】
【発明の実施の形態】
この発明の第１の実施の形態を図１・図２ないし図３により説明する。すなわち、この分電盤は、図１に示すようにアース接続部１と、図３に示す構造を有するプラグイン型分岐ブレーカ２と、３段配置母線バー３と、３段配置母線バー３を固定する母線バー固定支持物８と、主幹ブレーカ５と２次側接続部６を有する。図３に示す構造を有するプラグイン型分岐ブレーカ２は、１次側をプラグイン構造１３、２次側を差込構造１４を有するものを使用した。この分電盤では、主幹ブレーカ５は、単相３線式のブレーカであり、１次側９を上、２次側１０を下とした状態で分電盤の中央下部に配置する。主幹ブレーカ５の２次側接続部６の構造を図２に示す。図２の構造では、１段目をＮ相とし、２段目・３段目は電源相の相順で、各相の母線バー１１間隔を１０ｍｍ開けた状態で配置している。ねじ接続７は、ねじと母線バー１１との間に絶縁物を介し、各相の母線バー１１とねじが絶縁上の離隔距離を保った構造としている。主幹ブレーカ５については、どのような構造のものでも可能で、市販で売られているブレーカならどれでも対応可能となっている。以上のような構造で、母線バー１１は主幹ブレーカ５の２次側接続部より下部に向かって相ごとで母線バー１１に段差を設けた構造とし、下部でねじ接続７により左右に分岐させる形で分電盤の両端に振り分ける。母線バー１１は主幹ブレーカ５の容量１００Ａに合わせて、厚み２ｍｍ、幅２０ｍｍとし、各相の母線バー１１の間隔を１０ｍｍ開けた状態としている。材質は銅を使用している。そして、分電盤の下部左右において、相ごとにねじ接続７により、盤の側面内側に近い箇所で、盤の長手方向に向かって平行に配置した両端の３段配置母線バー３と接続する構造とした。盤の側面内側と３段配置母線バー３との距離は、絶縁上十分な距離を取るとともに、母線バー１１の厚みを２ｍｍとしているため、主幹ブレーカ５の容量に応じて母線バー１１の幅を変えることが可能となっている。
【００１０】
そして、その両端の３段配置母線バー３に内側から図３に示す構造を有するプラグイン型分岐ブレーカ２を取り付けるために、プラグイン型分岐ブレーカ２の２次側接続部が内側になるよう取付板を配置し、主幹ブレーカ５の配線用ガタースペース４とプラグイン型分岐ブレーカ２の配線用ガタースペース４を共有させた配線用ガタースペース４を分電盤の中央に設けた。３段配置母線バー３は母線バー１１を上下に段配置した構造で厚さ２ｍｍとし、電流密度は、３段配置母線バー３の幅を変えることで分電盤に適用される主幹ブレーカ５の電流容量１０Ａ〜４００Ａ全てに適合するものとしている。また、３段配置母線バー３の固定は、母線バー固定支持物８を使用して固定した。これにより、プラグイン型分岐ブレーカ２が３段配置母線バー３に対して片側のみの接続としていることで、片方からの力に対応できるものとした。
【００１１】
また、プラグイン型分岐ブレーカ２は図３に示すように、１次側がプラグイン構造１３そして２次側が差込構造１４となっており、取付板に対し容易に取外しが可能なものとなっているとともに、２次側配線の接続・取外しが容易なものとなっている。
【００１２】
また、図１に示す盤全体の大きさは、主幹ブレーカ５の容量を１００Ａ、プラグイン型分岐ブレーカ２の個数を左右に１５個ずつ配置したもので、横幅５００ｍｍ、縦幅６００ｍｍのものになっている。この場合、配線用ガタースペース４の大きさは、横幅２００ｍｍ、縦幅３５０ｍｍのものとなる。盤の厚みは、主幹ブレーカの容量に応じて決まるが、図１に示す実施例では、主幹ブレーカ５の容量１００Ａのもので１２０ｍｍのものとなっている。
【００１３】
この発明の第２の実施の形態を図４により説明する。すなわち、この分電盤は、図４に示すようにアース接続部１と、図３に示す構造を有するプラグイン型分岐ブレーカ２と、３段配置母線バー３と、３段配置母線バー３を固定する母線バー固定支持物８と、主幹ブレーカ５を有する。図３に示す構造を有するプラグイン型分岐ブレーカ２は、１次側をプラグイン構造１３、２次側を差込構造１４を有するものを使用した。この分電盤では、主幹ブレーカ５は、単相３線式のブレーカであり、１次側９を上、２次側１０を下とした状態で分電盤の中央下部に配置する。主幹ブレーカ５については、どのような構造のものでも可能で、市販で売られているブレーカならどれでも対応可能となっている。そして、図４の実施例では、図１のねじ接続７により母線バー１１を接続するものに対し、ケーブル１５によりケーブル接続１６した場合の３段配置母線バー３への接続となっている。すなわち、母線ケーブル１２の分岐は、主幹ブレーカ５の２次側接続部より、各相２重接続によるケーブル接続１６により左右に分岐させ、分電盤の左右に設ける盤の長手方向に向かって平行に配置する３段配置母線バー３と相ごとに接続する構造としている。３段配置母線バー３とケーブル１５とを接続するケーブル接続１６の構造を図５に示す。この図では、３段配置母線バー３とケーブル１５との接続は、各相で接続箇所をずらすことにより、絶縁上の離隔距離を確保している。３段配置母線バー３は主幹ブレーカ５の容量１００Ａに合わせて、厚み２ｍｍ、幅２０ｍｍとし、各相の母線バーの間隔を１０ｍｍ開けた状態としている。材質は銅を使用している。盤の側面内側と３段配置母線バー３との距離は、絶縁上十分な距離を取るとともに、母線バー１１の厚みを２ｍｍとしているため、主幹ブレーカ５の容量に応じて母線バー１１の幅を変えることが可能となっている。
【００１４】
この実施の形態でも、第１の実施の形態と同様、盤中央下部に主幹ブレーカ５を１次側９を上、２次側１０を下とした状態で配置し、母線バーを左右に分岐配置した構造としているため、主幹ブレーカ５の配線用ガタースペース４とプラグイン分岐ブレーカ２の配線用ガタースペース４が共有し、中央部に配線用ガタースペース４を設けた形態となっている。また、この実施例でのケーブル接続１６のケーブル１５は、ＩＶケーブルを使用し、太さは３８ｍｍ２のものを使用した。
【００１５】
なお、第１および第２の実施の形態とも、３段配置母線バー３の相順は固定されておらず、プラグイン構造を有する分岐ブレーカならどれでも対応可能となっている。また、３段配置母線バー３の厚みは、接続するプラグイン型分岐ブレーカ２の口に合わせて、２ｍｍとは限らず、いずれの厚みのサイズでも対応可能となっている。
【００１６】
更に、プラグイン構造を有する分岐ブレーカは、図３では一例として２次側の構造が差込構造１４を有するものを示しているが、従来の端子接続などのものでも対応可能である。
【００１７】
また、分岐ブレーカの形態は、本実施例ではプラグイン型のものを使用しているが、通常使用されている安全ブレーカでもよい。その場合、３段配置母線バー３の各相毎の離隔距離を十分取って、各相の母線バー１１から、各分岐ブレーカに対して枝状のものを取り付ける必要がある。
【００１８】
第２の実施の形態において、ケーブル接続１６に用いたケーブル１５はＩＶケーブルだけでなく、あらゆるケーブルが対応可能となっているとともに、導電性のものならあらゆるものが代用として対応可能となっている。
【００１９】
この発明の第３の実施の形態を図６により説明する。この実施例は、図１および図４の配置構造の分電盤に対する中ぶた２０を示すものであり、保護板１７とその取付に使用する蝶板１８と、中ぶた２０を盤に固定するためのビス２１を有したものとなっている。保護板１７は、左部に取手物１９を取付、中ぶた２０との接続部には蝶板１８を使用して、片側開きの構造とした。この保護板１７を有する中ぶた２０を使用することにより、配線替えをする場合など、中央部の配線用ガタースペース部の保護板１７を開閉するだけでよいものとなっている。また、主幹ブレーカ及び分岐ブレーカの状態が一目で分かるように、ブレーカの表示部が露出するよう開口部を設けた。中ぶた２０の材質については、盤の厚みから絶縁性を考慮して樹脂製としているが、盤の厚みを十分な厚みとすれば、金属製としてもいい。また、保護板１７の部分だけ金属製としてその他を樹脂製とすることや、逆に保護板１７の部分だけ樹脂製としてその他を金属製とすることも可能である。この中ぶた２０の構造は、一例として示しているが、保護板１７の構造は、中央部のガタースペース部分が開けれるものであればどのような構造のものでもよい。そして、この中ぶた２０の４角にビス２１を設け、必要があれば全体をはずすことが可能な構造としている。
【００２０】
この中ぶた２０の構造は、中央部に保護板１７を設けた構造としているが、保護板１７のないこの分電盤に適した中ぶた２０でも適用可能である。この場合、配線替え等を要する場合、中ぶた２０全体を取り外す形となる。
以上の実施例によれば、従来の同等仕様の分電盤と比較して、設置面積で３０％の省スペース化が図られる。また、安全性も重視したものとなっている。
【発明の効果】
本発明は、以上説明したように構成されているので、以下に記載されるような効果を奏する。
【００２１】
中央部に配線用ガタースペースを設けることにより、盤を小型化することができ、施工面において省スペース化が図られている。
【００２２】
また、中央部に配線用ガタースペースを設けることにより、十分広いスペースで配線・接続がしやすくなり、作業の効率化が図られている。
【００２３】
配線替えをする場合など、中央部の配線用ガタースペース部の保護板を開閉するだけでよく、充電部が露出されないため、安全性が重視されている。
【図面の簡単な説明】
図１〜図６は本発明の図面である。
【図１】分電盤内部の配置構造を示す平面図である。
【図２】主幹ブレーカの２次側接続部を示す断面図である。
【図３】３段配置の母線バー部分とそれに取り付けるブレーカを示す断面図である。
【図４】ケーブル接続した場合を示す平面図である。
【図５】ケーブル接続の構造を示す断面図である。
【図６】本分電盤内用の中ぶたとその中ぶたを取り付ける形態を示す立体図である。
【図７】従来の分電盤の配置構造を示す平面図である。
【符号の説明】
１　　アース接続部
２　　プラグイン型分岐ブレーカ
３　　３段配置母線バー
４　　配線用ガタースペース
５　　主幹ブレーカ
６　　２次側接続部
７　　ねじ接続
８　　母線バー固定支持物
９　　１次側
１０　　２次側
１１　　母線バー
１２　　母線ケーブル
１３　　プラグイン構造
１４　　差込構造
１５　　ケーブル
１６　　ケーブル接続
１７　　保護板
１８　　蝶板
１９　　取手物
２０　　中ぶた
２１　　ビス
２２　　母線バー
２３　　主幹ブレーカ
２４　　分岐ブレーカ
２５　　配線用ガタースペース
【図１】
2004056929.tif 000003
【図２】
2004056929.tif 000004
【図３】
2004056929.tif 000005
【図４】
2004056929.tif 000006
【図５】
2004056929.tif 000007
【図６】
2004056929.tif 000008
【図７】
2004056929.tif 000009